(57)【要約】【課題】バッテリの内部抵抗を測定することによってバッテリの性能を監視する。【解決手段】マイクロプロセッサ制御装置、第一と第二パワー・トランジスタ、第一と第二外部負荷、電圧サンプリング回路、瞬間電流制御回路及び入力/出力ユニートで構成された、監視して前もって警報を出す装置を利用し、測定されるべきである電源と接続して、第一パワー・トランジスタを第一外部負荷に連結して電源とシリーズ関係を形成して、第二パワー・トランジスタを第二外部負荷に接続して電源とシリーズ関係を形成して、すべてのパワー・トランジスタで当該回路を制御して、瞬間サンプリングタイムが何回も設定された瞬間大電流を測定することによって、瞬間サンプリングの参考の電圧値及び負荷電圧値を取得して、更に電源の内部抵抗値を取得して、電源の予定されたアラーム値と比較して、当該電源の状態を判断し、必要に応じアラームを発させて適当なディスプレイに示す。【選択図】  図１
2007218917.tif 000002
【特許請求の範囲】
【請求項１】
電源の内部抵抗（internal resistance）でバッテリの性能を監視して前もって警報を出す方法であって、当該監視して前もって警報を出す方法のステップは、
（１）第一パワー・トランジスタ１（power transistor）を測定されるべきであるバッテリの二端に連結させて第一外部負荷（external load）をとして、設定された極めて短いサンプリングタイム（sampling time）で瞬間大電流（transient large current）を測定することによって、参考電圧値を取得すること、
（２）第二パワー・トランジスタ２（power transistor）を測定されるべきであるバッテリの二端に連結させて第二外部負荷（external load）をとして、設定された極めて短いサンプリングタイム（sampling  time）で瞬間大電流（transient large current）を測定することによって、負荷電圧値を取得すること、
（３）上記のステップで測定された参考電圧値から負荷電圧値を引き算して、瞬間大電流値（transient large current  value）を合わせて、計算して測定されるべきであるバッテリの内部抵抗値ri（internal resistance  value）を取得すること、及び
（４）上記のステップで取得された内部抵抗値ri（internal resistance  value）と予定された内部抵抗の予定されたアラーム値ｒwを比較して、しかもその結果が予定された内部抵抗の予定されたアラーム値より低ければ、アラームを起こさせるディスプレイを示すことを
含むことを特徴とする。
【請求項２】
バッテリの内部抵抗（internal resistance）を測定する方法であって、下記のステップ：
（１）外部負荷（external load）を設定して、測定されるべきであるバッテリのタイプによる抵抗Ｒが選ばれるステップ、
（２）バッテリのタイプに従って、名目上の内部抵抗（internal resistance）によるバリューを選ぶステップ、
（３）第一パワー・トランジスタ（power transistor）またはその関連した回路は、第一外部負荷（external load）をとして、参考電圧Vrを取得するステップ、
（４）バッテリの二端で第一外部負荷（external load）を接続するために制御された第一パワー・トランジスタ（power transistor）を提供して、繰返し第一パワー・トランジスタ（power transistor）を制御してそして瞬間サンプリングタイム（transient sampling time）での第一外部負荷（external load）を通してバッテリから瞬間大電流（transient large current）が切断されて、バッテリ二端の間で第一参考電圧Vr１をサンプリングして、外部負荷（external load）二端の間で第二参考電圧Vr２をサンプリングして、それぞれ、何回で電圧Vr１及びVr２の平均値を計算して保存するステップ、
（５）第二パワー・トランジスタ（power transistor）またはその関連した回路は、第二外部負荷（external load）をとして、負荷電圧VLを取得するステップ、
（６）バッテリの二端で第二外部負荷（external load）を接続するために制御された第二パワー・トランジスタ（power transistor）を提供して、繰返し第二パワー・トランジスタ（power transistor）を制御してそして瞬間サンプリングタイム（transient sampling time）での第二外部負荷（external load）を通してバッテリから瞬間大電流（transient large current）が切断されて、バッテリ二端の間で第一負荷電圧VL１をサンプリングして、外部負荷（external load）二端の間で第二負荷電圧VL2をサンプリングして、それぞれ、何回で電圧VL１及びVL2の平均値を計算して保存するステップ、
（７）瞬間大電流（transient large current）の供給を中止するために、第二外部負荷（external load）を切断するステップ、
（８）瞬間大電流（transient large current）の供給を中止するために、第一外部負荷（external load）を切断するステップ、
（９）VL２からVr２を引いて、抵抗Rで割ることによって、瞬間大電流（transient large current）Iを計算するステップ、
（１０）Vr１からVL１を引いて、瞬間大電流（transient large current）Iで割ることによって、バッテリーの内部抵抗（internal resistance）rを計算するステップ、
（１１）取得した測定されるべきであるバッテリーの内部抵抗（internal resistance）を測定されるべきであるバッテリーの内部抵抗（internal resistance）予め定められた警告値と比較して、そして、前者が予め定められた警告値より等しいか大きいかどうかのことを判断するステップ、
（１２）ステップ９の判断が確認されたら、I/Oを通して警告を発しているステップを含むことを特徴とする。
【請求項３】
測定されるべきであるバッテリーの内部抵抗（internal resistance）の予め定められたバリューは、０.００１Ωから１.５uΩまでセットされることを特徴とする請求項２に記載のバッテリの内部抵抗（internal resistance）を測定する方法である。
【請求項４】
外部負荷（external load）の抵抗は、２５uΩから５０００uΩまでの範囲にセットされることを特徴とする請求項２に記載のバッテリの内部抵抗（internal resistance）を測定する方法である。
【請求項５】
外部負荷（external load）の抵抗は、任意に増幅器（アンプ）の結合することを特徴とする請求項２に記載のバッテリの内部抵抗（internal resistance）を測定する方法である。
【請求項６】
外部負荷（external load）は、どちらのパワー・トランジスタ（power transistor）の内部抵抗（internal resistance）として提供されることを特徴とする請求項２に記載のバッテリの内部抵抗（internal resistance）を測定する方法である。
【請求項７】
瞬間大電流（transient large current）は、１Ａから５００Ａまでの範囲にあることを特徴とする請求項２に記載のバッテリの内部抵抗（internal resistance）を測定する方法である。
【請求項８】
瞬間サンプリングタイム（transient sampling time）は０．０１秒以内に設定されることを特徴とする請求項２に記載のバッテリの内部抵抗（internal resistance）を測定する方法である。
【請求項９】
入出力（I/O）操作は、ステップ９で形成した比較結果に応じて実行されます。I/Oは、下記のように、例えばディスプレー、キーボード入力、無線操作、ＵＳＢ（ユニバーサルシリアルバス）コネクタ、データバス（databus）、CAN（コントローラー・エリア・ネットワーク）バス、GPS（全地球位置測定システム）、SMS（ショートメッセージサービス）、MMS（マルチメディアメッセージングサービス）、ＷＡＰ（ワイヤレス アプリケーション プロトコル）、インターネットへをアクセスするのうちの１つであることを特徴とする請求項２に記載のバッテリの内部抵抗（internal resistance）を測定する方法である。
【請求項１０】
バッテリーの状態を判断する方法であって、
（１）中断ベクトルアドレス（interrupt vector address）をプログラムの最初のアドレスとして設定することから始めるステップ、
（２）レジスターとI/Oピンは、レジスターの最初値をセットするために初期化されて、中断ベクトル（interrupt vector）とタイマーが、作動されて、そして、各々のI/Oピンの状態と初期値は定められるステップ、
（３）外部負荷（external load）を選んで、抵抗Rがバッテリーに基づき設定されるステップ、
（４）バッテリのタイプに従って、名目上の内部抵抗（internal resistance）によるバリューを選ぶステップ、
（５）第一パワー・トランジスタ（power transistor）を第一外部負荷（external load）として、瞬間大電流（transient large current）を提供するために第一パワー・トランジスタ（power transistor）を制御するステップ、
（６）制御した第一パワー・トランジスタ（power transistor）から提供された瞬間大電流（transient large current）でのバッテリーの二端の間にそれぞれK1時間（K1≧1）及びL1時間（L1≧1）でサンプリングして、そして、バッテリーの二端の間で第一サンプリングされた参考電圧Vr1の平均値及び外部負荷（external load）の二端の間での第二サンプリングされた参考電圧Vr２を取得するステップ、
（７）第二パワー・トランジスタ（power transistor）を第一外部負荷（external load）として、瞬間大電流（transient large current）を提供するために第二パワー・トランジスタ（power transistor）を制御するステップ、
（８）制御した第二パワー・トランジスタ（power transistor）から提供された瞬間大電流（transient large current）でのバッテリーの二端の間にそれぞれK２時間（K２≧1）及びL２時間（L２≧1）でサンプリングして、そして、バッテリーの二端の間で第一サンプリングされた負荷電圧V L 1の平均値及び外部負荷（external load）の二端の間での第二サンプリングされた負荷電圧V L２を取得するステップ、
（９）瞬間大電流（transient large current）の供給を中止するために、第二外部負荷（external load）を切断するステップ、
（１０）瞬間大電流（transient large current）の供給を中止するために、第一外部負荷（external load）を切断するステップ、
（１１）多数のサンプリングがNと等しいかどうかを判断して、そこはN≧1となって、もし判断した結果がネガティブとなったらステップ６にループバックされるステップ、
（１２）VL2からVr2を引いて、抵抗Rで割ることによって、瞬間大電流（transient large current）Iを計算するステップ、
（１３）Vr１からVL１を引いて、瞬間大電流（transient large current）Iで割ることによって、バッテリーの内部抵抗（r）を計算するステップ、
（１４）取得した測定されるべきであるバッテリーの内部抵抗（r）を選ばれた名目値と比較することで、測定されるべきであるバッテリーの状態を判断するステップを含むことを特徴とする。
【請求項１１】
瞬間サンプリングタイム（transient sampling time）は０．０１秒以内に設定されることを特徴とする請求項１０に記載のバッテリーの状態を判断する方法である。
【請求項１２】
入出力（I/O）操作は、ステップ９で形成した比較結果に応じて実行されます。I/Oは、下記のように、例えばディスプレー、キーボード入力、無線操作、ＵＳＢ（ユニバーサルシリアルバス）コネクタ、データバス（databus）、CAN（コントローラー・エリア・ネットワーク）バス、GPS（全地球位置測定システム）、SMS（ショートメッセージサービス）、MMS（マルチメディアメッセージングサービス）、ＷＡＰ（ワイヤレス アプリケーション プロトコル）、インターネットへをアクセスするのうちの1つであることを特徴とする請求項１０に記載のバッテリーの状態を判断する方法である。
【請求項１３】
バッテリの性能を監視する装置に関することであって、第一サンプリングされた参考電圧及び第二サンプリングされた参考電圧を取得するために、第一パワー・トランジスタ（power transistor）を第一外部負荷（external load）として結合して、第一サンプリングされた参考電圧及び第二サンプリングされた負荷電圧を取得するために、第二パワー・トランジスタ（power transistor）を第二外部負荷（external load）として結合して、
当該設置を制御するコントローラであって、それはバッテリーを通して所定の期間に電圧をサンプリングして、バッテリーのタイプによって既知の外部負荷（external load）を選んで、測定されるべきであるバッテリーの内部抵抗（internal resistance）を計算して、測定されるべきであるバッテリーの内部抵抗（internal resistance）を予め定められた警告値と比較すること、
負荷要素に関わる外部負荷（external load）であって、予め定められた抵抗を有して、当該外部負荷（external load）が、それぞれバッテリーと並列に両方とも結合する第一と第二外部負荷（external load）を備えること、
電圧サンプリング回路（voltage sampling circuit）であって、バッテリーの二端を通して電圧をサンプリングすること、
瞬間電流制御回路（transient current control circuit）であって、それは第一パワー・トランジスタ（power transistor）と第二パワー・トランジスタ（power transistor）を含み、瞬間電流制御回路（transient current control circuit）がバッテリーの二端を通ることによって接続されて、そして装置のスイッチとするためにコントローラで制御される時、第一パワー・トランジスタ（power transistor）と第二パワー・トランジスタ（power transistor）の瞬間大電流（transient large current）が、バッテリーからの第一と第二外部負荷（external load）で切断して、しかも瞬間のサンプリング時間に多数で前記バッテリーの電圧をサンプリングして；バッテリーの瞬間大電流（transient large current）を得るために、第二サンプリングされた負荷電圧（sampled  load  voltage）と第二サンプリングされた参考電圧（sampled  reference  voltage）の間に外部負荷（external load）の抵抗で違いを分けて；バッテリーの内部抵抗（internal resistance）を得るために、平均の第一サンプリングされた負荷電圧（sampled  load  voltage）と平均の第一サンプリングされた参考電圧（sampled  reference  voltage）の間にバッテリーの瞬間大電流（transient large current）で違いを分けること、
入力/出力（input/output）であって、バッテリーの内部抵抗（internal resistance）による計算された値を予め定められた警告値と比較して、アラームを発させるコントローラであることを含むことを特徴とする。
【請求項１４】
更に、当該装置は、任意に、負荷としてとられる平行した第一と第二パワー・トランジスタ（power transistor）に結合するアンプを含むことを特徴とする請求項１３に記載のバッテリの性能を監視する装置である。
【請求項１５】
当該負荷要素は、当該パワー・トランジスタ（power transistor）の内部抵抗（internal resistance）であることを特徴とする請求項１３に記載のバッテリの性能を監視する装置である。
【請求項１６】
当該瞬間電流制御回路（transient current control circuit）は、二つまた二つ以上のパワー・トランジスタ（power transistor）を含むことを特徴とする請求項１３に記載のバッテリの性能を監視する装置である。
【請求項１７】
当該第一と第二パワー・トランジスタ（power transistor）の抵抗は、２５uΩから５０００uΩまでの範囲にセットされることを特徴とする請求項１３に記載のバッテリの性能を監視する装置である。
【請求項１８】
バッテリーの内部抵抗（internal resistance）による予め定められた値は、
０．００１Ωから１．５Ωまでの範囲であることを特徴とする請求項１３に記載のバッテリの性能を監視する装置である。
【請求項１９】
瞬間大電流（transient large current）は、１Ａから５００Ａまでの範囲であることを特徴とする請求項１３に記載のバッテリの性能を監視する装置である。
【請求項２０】
瞬間サンプリングタイム（transient sampling time）は０．０１秒以内に設定されることを特徴とする請求項１３に記載のバッテリの性能を監視する装置である。
【請求項２１】
入出力（I/O）操作は、ステップ９で形成した比較結果に応じて実行されます。I/Oは、下記のように、例えばディスプレー、キーボード入力、無線操作、ＵＳＢ（ユニバーサルシリアルバス）コネクタ、データバス（databus）、CAN（コントローラー・エリア・ネットワーク）バス、GPS（全地球位置測定システム）、SMS（ショートメッセージサービス）、MMS（マルチメディアメッセージングサービス）、ＷＡＰ（ワイヤレス アプリケーション プロトコル）、インターネットへをアクセスするのうちの１つであることを特徴とする請求項１３に記載のバッテリの性能を監視する装置である。
【請求項２２】
バッテリーの内部抵抗（internal resistance）のバリューは、Kelvin連接を介することを特徴とする請求項１３に記載のバッテリの性能を監視する装置である。
【発明の詳細な説明】
【技術分野】
【０００１】
本発明は、監視装置に関して、更にバッテリの内部抵抗（internal resistance）を測定することによって、バッテリの性能を監視する方法に関することであって、第一パワー・トランジスタ（power transistor）を測定されるべきであるバッテリの二端に連結させて第一外部負荷（external load）をとして、参考電圧値を取得して、第二パワー・トランジスタ２（power transistor）を測定されるべきであるバッテリの二端に連結させて第二外部負荷（external load）をとして、負荷電圧値を取得して、バッテリの内部抵抗（internal resistance）の予定されたアラーム値があって、エンジンを始動する前に、その電源が、予定されたアラーム値より低ければ、アラームを起こさせるディスプレイを示す。本発明は、更に、上記に関わる監視装置に関する。
【背景技術】
【０００２】
それを運転する前にドライバーが自動車のエンジンを出発させなければならないのが知られています。また、成功にエンジンを始動するために、十分な電力がバッテリーに格納されらければならない。バッテリーは、通常に、有限の寿命があります。しかしながら、周囲温度、充電状態、時間、負荷ディスチャージでいう原因は、全てバッテリーの寿命に悪影響を与えることができます。このよう、実際的な寿命と任意な特定なバッテリーによるおよその寿命の間に違いがあります、そして、その違いは、時々非常に大きいです。それゆえに、実際には、ドライバー（または経験豊かなドライバーさえ）がエンジンを始動する前にバッテリーの電力レベルを知る方法があるというわけではありません。一般的に、自動車修理場の技術者だけは、テスト装置によって電力レベルを知っていることができます。しかし、テスト装置はいくぶん大きいです。このように、それが自動車でもたらされるのを禁じます。ドライバーがエンジンを始動することができない時だけで、バッテリーが低いと分かられる。代わりに、ドライバーがそれさえ特定の始動に成功していることの前に、バッテリーが既に損害を受けることと知らないかもしれません。ドライバーが遠い地域、山または砂漠に車を駐車するかもしれないから、従ってこれが望ましくなくて、危険でさえあるかもしれません。
【発明の開示】
【発明が解決しようとする課題】
【０００３】
また、バッテリーのパワー測定装置は、必要な器材として車に取り付けられます。しかしながら、バッテリーのパワー測定装置は、バッテリーの電力も消費するかもしれません。それゆえに、頻繁なパワーの測定は、望ましくはありません。従って、特にその電力の最小限の量を消費することによって比較的短い期間に正確にバッテリーの電力を測ることは、望ましいです。現在の応用は、一般に発明名称：「Device for Monitoring Motor Vehicle's Electric Power and Method Thereof」であって第
６，７０４，６２９号と６，７９１，４６４号のアメリカ特許に関連してます。本発明は、公開番号がＵＳ２００６／０００１４２９  Ａ１となる特許に密接に関連します。本発明は、フローティング電圧源V0をその参考電圧として、サンプリング電圧と比較して、バッテリーの二端で内部抵抗（internal resistance）を測定することによって、バッテリの性能を監視する方法及びその装置に関するものです。しかしながら、当該フローティング電圧源V0は、バッテリーが断続的に充電してまたはバッテリーの二端での負荷が変化してまたはバッテリーが古くなることの影響を受けて、安定していません。
【０００４】
また、アメリカの第６,０９７,１９３号の発明特許に開示された大型なバッテリー組中にある単一バッテリーの監視技術は、主にバッテリーの電圧（cell  voltage）でバッテリーの内部抵抗（internal resistance）を判断します。
【０００５】
アメリカの第５,０２７,２９４号の発明特許も、電圧を測定することによって、バッテリーの状態を判断します。
【０００６】
本願の発明者による第６, ７０４,６２９号の発明特許は、一部に短い時間で大切な負荷をバッテリーと接続することによってバッテリーから相当な電流を得ることでバッテリーの状態を測定します。それは、本発明の一つ方法であるが、電圧だけを測ります。
【０００７】
第６, ２０１,３７３号の特許は、バッテリーの充電状態（ＳＯＣ）を測定するための回路を開示して、バッテリー状態の測定装置を開示していません。電圧と電流はサンプリングされた。
【０００８】
第５, ３８１,０９６号の特許も、充電状態（ＳＯＣ）の測定に関することである。
【０００９】
第６, ５３１,８７５号の特許は、連続の測定から推定することによって、バッテリーの開放回路電圧を測ることを開示します。
【００１０】
公開番号第ＵＳ２００３/００６７２２１  Ａ１号のアメリカ特許は、自動車に使用される電圧調整器回路を示します。
【００１１】
ヨコオ第５，８２８，２１８号の特許は、放電の電流と放電中の電圧に基づき、バッテリーの残りの収容力を推定する方法を示します。
【００１２】
マンソン第５，９００，７３４号の特許は、バッテリー電圧が固定基準値と比較されて、そして、バッテリー電圧が基準値より少ないとき、警報が与えられるシステムをモニターしているバッテリーを示します。
【００１３】
ブラムウェル第６，０９７，１９２号の特許は、内部抵抗（internal resistance）またはバッテリーのインピーダンスを測定する様々な方法に関して、それは、バッテリーに応用される小さなAC信号及びホイートストリンブリッジまたは等価物で内部抵抗（internal resistance）を測定することを含む。ブラムウェルの請求項は、車両が止まる間隔に既知の電流を取得することによってバッテリーのインピーダンスを測定するステップを含む。QVが予め定められた点以下に落ちるとき、アラームメッセージを表示させることができます。また、Gollompは、終端の電圧を測って、そこからインピーダンスを測定している。
【００１４】
ターナーは、第６, ２４９,１０６号の特許は、予め定められた点以下となるバッテリーの放電を防ぐ回路を開示します。また、第３, ８５２,７３２号の特許も、同じ目的に向けられます。また、第４, １９３,０２６号の特許は、閾値以下で終端電圧の縮小を示す信号を整合することで、バッテリーのSOCを測定することに関する。
【００１５】
第５, １３０,６９９号の特許は、一定の間隔で終端の電圧を測ることによってバッテリーをモニターして、測定されるべきである値を予め定められた値と比較して、結果に従い、フラグ（Flag）をシフトレジスターでセットする。予め定められたフラグ（Flags）が低下の電圧状態を示すとき、警報は与えられます。
【００１６】
第５, １９３,０６７号の特許は、予め定められた電流の放電中に電圧を測定することで、または、予め定められた電圧で放電する時電流を測定することでバッテリーの内部インピーダンスを判断することを開示する。
【００１７】
第５, ７６４,４６９号の特許は、バッテリー電圧が予め定められたレベル以下に落ちるとき、車両の電子機器との接続を切断することを開示する。
【００１８】
本願の発明者による第６, ７９１,４６４号の特許は、スターターが相当な負荷を提供する時、始動中で、バッテリー全体による電圧をモニターすることで、自動車のバッテリーの状態を示します。始動中の最小限の電圧は、バッテリーの状態を判断するために、予め定められた値と比較されることができます。
【００１９】
Gollompによる第６, ４２４,１５７号の特許は、すべてとの接続を切断しなければならないので開放回路電圧（OCV）からバッテリーSOCを測ることが難しくなることに関します。その代わりにGollompによる特許は、静止した電圧（QV）のモニタリングを開示して、例えば、車両が始まる時に30分の間隔で測られます。静止した電圧（QV）が予め定められた点以下に落ちるとき、アラームメッセージを表示させることができます。Gollompによる特許も、エンジンを始動する時、電圧と電流を測定することを開示します。このデータは、メモリーに保存されて、そしてダイナミックな内部抵抗（IR）と分極化抵抗力（PR）を判断するのに用いられます。Gollompによる特許も、バッテリーが車をスタートさせることができないとき、何回もSOCとＱＶをモニターすることで判断することを開示します。また、「将来の使用」のために、バッテリー最初のIR値または後ほどのIR値を保存する。その結果は、初期のバッテリー故障の警告または接続に関する若干の問題等を与えることになっています。これらのデータは、連続したスタートの間、モニターされることができます。
【００２０】
Kchaoによる第５, ７５１,２１７号の特許は、バッテリーインピーダンスを評価する方法と回路を示します。バッテリーインピーダンスは、完全に充電されたバッテリーだけに適用できて、しかも充電器に取り入れられることを目的とします。出願者の装置は、完全には充電されたバッテリーに限られていなくて、スタンドアロン装置として経済的に提供されることができます。
【課題を解決するための手段】
【００２１】
本発明の主な目的は、長期なまたは短時間の測定装置を提供して、測定されるべきであるバッテリの二端に相当な短いサンプリングタイム（sampling time）で最小のパワーを消費することによって、瞬間大電流（transient large current）を測定して、しかもエンジンを始動している時または始動する前に、測定の結果は予定された値より低ければ、入力/出力（Ｉ/Ｏ）操作を介してドライバーにアラームを起こさせるディスプレイを示させます。
【００２２】
本発明のもう一つの目的は、バッテリーの電力をモニターする方法を提供して、
（１）バッテリータイプと測られるバッテリーの内部抵抗に基づき、外部負荷の抵抗をセットするステップ、
（２）測られるバッテリーの内部抵抗（internal resistance）をセットするステップ、
（３）瞬間に、各々の第一と第二のサンプリングされた参考電圧の平均値を取得するために、複数の第一および第二の時間に実行された第一のパワートランジスタから提供された瞬間大電流（transient large current）で測られるバッテリーの二端で瞬間でサンプリングするステップ、
（４）瞬間に、各々の第一と第二のサンプリングされた参考負荷の平均値を取得するために、複数の第一および第二の時間に実行された第二のパワートランジスタから提供された瞬間大電流（transient large current）で測られるバッテリーの二端で瞬間でサンプリングするステップ、
（５）第一及び第二のパワートランジスタを取り外すステップ、
（６）バッテリーの瞬間大電流（transient large current）を得るために、第二サンプリングされた負荷電圧（sampled  load  voltage）と第二サンプリングされた参考電圧（sampled  reference  voltage）の間に外部負荷（external load）の抵抗で違いを分けるステップ、
（７）バッテリーの内部抵抗（internal resistance）を得るために、平均の第一サンプリングされた負荷電圧（sampled  load  voltage）と平均の第一サンプリングされた参考電圧（sampled  reference  voltage）の間にバッテリーの瞬間大電流（transient large current）で違いを分けるステップ、
（８）取得した測定されるべきであるバッテリーの内部抵抗（internal resistance）をバッテリーの内部抵抗（internal resistance）の予め定められた警告値と比較して、前者が予め定められた警告値より等しいか大きいかどうかのことを判断するステップ、
（９）ステップ８の判断が確認されたら、I/Oを通して警告を発しているステップを含み、
この方法を利用することによって、ドライバーはかなり本当の時間にバッテリーの実際の電力収容力を知っていることができることで可能です。
【００２３】
本発明のもう一つの目的は、バッテリーの電力をモニターする方法を提供して、
（１）参考電圧を得るために、瞬間サンプリングタイム（transient sampling time）に瞬間大電流（transient large current）で、第一パワー・トランジスタ（power transistor）を第一外部負荷（external load）としてバッテリーの二端に結合させること、
（２）負荷電圧を得るために、瞬間サンプリングタイム（transient sampling time）に瞬間大電流（transient large current）で、第二パワー・トランジスタ（power transistor）を第二外部負荷（external load）としてバッテリーの２つの端子に結合させること、
（３）負荷電圧を参考電圧から引いて、瞬間大電流（transient large current）で負荷電圧を割ることによって、バッテリーの内部抵抗（internal resistance）を計算することと、及び
（４）バッテリーの内部抵抗（internal resistance）を予め定められた警告値と比較して、予め定められたレベルより低いならば警告が示されることができることを含む。
【００２４】
更に、本発明のもう一つの目的は、バッテリーの電力をモニターする装置を提供して、所定の期間に測定されるべきであるバッテリーの電圧をサンプリングするために、装置を制御できるマイクロプロセッサ制御装置（ＭＣＵ）を含み、測定されるべきであるバッテリーの内部抵抗（internal resistance）を計算して、測定されるべきであるバッテリーの内部抵抗（internal resistance）を測定されるべきであるバッテリーの内部抵抗（internal resistance）の予め定められた警告値と比較して、第一と第二外部負荷（external load）は測定されるべきであるバッテリーと並列に結合することによって、測定されるべきであるバッテリーの内部抵抗（internal resistance）を計算して、測定されるべきであるバッテリーの二端電圧をサンプリングするサンプリング回路（sampling circuit）があって、瞬間大電流（transient large current）を有する第一パワー・トランジスタ（power transistor）と第二パワー・トランジスタ（power transistor）があって、瞬間電流制御回路（transient current control circuit）が、第一外部負荷（external load）と並列になる第一パワー・トランジスタ（power transistor）及び第二外部負荷（external load）と並列になる第二パワー・トランジスタ（power transistor）を含むことによって、装置のスイッチとする機能になるためにマイクロプロセッサ制御装置（ＭＣＵ）で制御されて、しかも測定されるべきであるバッテリーの第一、第二パワー・トランジスタ（power transistor）及びサンプリング電圧（sampling voltage）による大きさの瞬間電流（transient current）を制御する役割を果たして、マイクロプロセッサ制御装置（ＭＣＵ）で比較された結果について、測定されるべきであるバッテリーの内部抵抗（internal resistance）が、測定されるべきであるバッテリーの内部抵抗（internal resistance）の予め定められた警告値より等しいまた大きなのを示すならば、I/Oが警告を発する。
【００２５】
上記記載された目的、他の目的、特徴と長所は、下記の詳細な説明とその図面で明らかに開示される。
【発明を実施するための最良の形態】
【００２６】
図１と８を参照して、本発明によって、バッテリー（例えば自動車に設置されたのは）の電力をモニターするプロセスは、例示されます。
ステップ１、外部負荷（external load）の抵抗Rは、設定されて、バッテリータイプと測定されるべきであるバッテリーの内部抵抗（internal resistance）に基づき、任意に増幅器（アンプ）を使用する方法によって２５uΩと５００0mΩの間から選択したバリューである。
ステップ２、バッテリーの内部抵抗（internal resistance）ｒによる予め定められた値は、バッテリータイプに基づく０．００１Ωから１．５Ωまでの範囲に選ばれた値と比較します。適当な設定は、応用によって放電する終わりの前に各種ステージの警告を発させるために、予め定められた値、警告範囲または複数の予め定められた警告値を提供する。（図８を参照して）
ステップ３、第一外部負荷（external load）を行うために第一パワー・トランジスタ（power transistor）Ｑ１またはその関連した回路は、制御されます。複数の参考電圧を取得できて同時にそれを保存します。
ステップ４、バッテリーの二端である参考電圧及び外部負荷（external load）は、瞬間大電流（transient large current）が第一外部負荷（external load）で引かれるとき、第一パワー・トランジスタ（power transistor）Ｑ１を制御して何回も瞬間に行うことによってサンプリングされて、それは断続的になって、そして第一、第二サンプリングされた参考電圧による各々のグループの複数の平均値を取得します。参考電圧のカーブは、複数の第一、第二サンプリングされた参考電圧を接続することによって形成された。
ステップ５、第二外部負荷（external load）を行うために第二パワー・トランジスタ（power transistor）Ｑ２またはその関連した回路は、制御されます。負荷電圧を取得できて同時にそれを保存します。
ステップ６、バッテリーの二端である負荷電圧及び外部負荷（external load）は、瞬間大電流（transient large current）が第二外部負荷（external load）で引かれるとき、第二パワー・トランジスタ（power transistor）Ｑ２を制御して何回も瞬間に行うことによってサンプリングされて、それは断続的になって、そして第一、第二サンプリングされた負荷電圧による各々のグループの複数の平均値を取得します。負荷電圧のカーブは、複数の第一、第二サンプリングされた負荷電圧を接続することによって形成された。
ステップ７、第二外部負荷（external load）を切断します。（例えば、トランジスタQ２）
ステップ８、第一外部負荷（external load）を切断します。（例えば、トランジスタQ１）
ステップ９、第二の時間でサンプリングされた平均的の負荷電圧と第二の時間でサンプリングされた平均的の参考電圧の違いは、バッテリーの電流を得るために、外部負荷の抵抗（R）によって分けられます。そして、次に、測定されるべきであるバッテリーの内部抵抗（internal resistance）rは、バッテリーの電流で形成した第一の時間でサンプリングされた平均的の負荷電圧と第一の時間でサンプリングされた平均的の参考電圧の違いを分けることによって得られます。次に、得られたバッテリーの内部抵抗（internal resistance）は、バッテリーの内部抵抗（r）の予め定められたバリューと比較して、そして前者が予め定められた警告範囲にあるかどうかを判断します。
ステップ１０、入出力（I/O）操作は、ステップ９で形成した比較結果に応じて実行されます。I/Oは、下記のように、例えばディスプレー、キーボード入力、無線操作、ＵＳＢ（ユニバーサルシリアルバス）コネクタ、データバス（databus）、CAN（コントローラー・エリア・ネットワーク）バス、GPS（全地球位置測定システム）、SMS（ショートメッセージサービス）、MMS（マルチメディアメッセージングサービス）、ＷＡＰ（ワイヤレス アプリケーション プロトコル）、ネットワークまたはインターネットへをアクセスするのうちの1つであるかもしれません。
図２、７及び８を参照して、上記プロセスによる詳細な方法ステップは、記述された。
ステップ１１、プロセスは、中断ベクトルアドレス（interrupt vector address）をプログラムの最初のアドレスとして設定することから始めます。
ステップ１２、レジスターとI/Oピンは、レジスターの最初値をセットするために初期化されて、中断ベクトル（interrupt vector）とタイマーが、作動されて、そして、各々のI/Oピンの状態と初期値は定められます。
ステップ１３、バッテリーのタイプの必要条件及び測定されるべきであるバッテリーの内部抵抗（internal resistance）に基づき、外部負荷の抵抗（R）が２５uΩから５０００uΩまでセットされます。外部負荷（external load）の抵抗Rは、拡大されることができます。
ステップ１４、バッテリーの内部抵抗（r）の予め定められたバリューは、バッテリーのタイプに基づき、０.００１Ωから１.５uΩまでセットされます。適当な設定は、応用によって放電する終わりの前に各種ステージの警告を発させるために、予め定められた値、放電する終わりの前に予め定められた警告値を提供する。（図８を参照して）
ステップ１４a：第一パワー・トランジスタ（power transistor）Ｑ１またはその関連した回路を制御して、第一外部負荷（external load）を切断することで、瞬間大電流（transient large current）を取得して、そして、参考電圧Vrを測定します。（図７を参照して）
ステップ１５：参考電圧Vrは、何回でサンプリングされた。瞬間サンプリングタイム（transient sampling time）は０．０１秒以内に設定されます。図７に示すように、バッテリーの二端の間に第一パワー・トランジスタ（power transistor）Ｑ１またはその関連した回路を実行することによって、瞬間大電流（transient large current）を提供して、測定されるべきであるバッテリーの二端の間での参考電圧Vr１（図7で示すように）は、K１時間（K１≧1）でサンプリングされて、外部負荷（external load）の二端の間での参考電圧Vr２は、L１時間（L１≧１）でサンプリングされて、そして電圧Vr1及びVr２の平均値は、計算されて、保存されます。瞬間サンプリングタイム（transient sampling time）は、望ましくは１Ａから５００Ａまでの範囲にあります。
ステップ１５a：第二パワー・トランジスタ（power transistor）Ｑ１またはその関連した回路を制御して、第二外部負荷（external load）を切断することで、瞬間大電流（transient large current）を取得して、そして、負荷電圧VLを測定します。（図７を参照して）
ステップ１５b：負荷電圧VLは、何回でサンプリングされた。瞬間サンプリングタイム（transient sampling time）は０．０１秒以内に設定されます。図７に示すように、バッテリーの二端の間に第一パワー・トランジスタ（power transistor）Ｑ２またはその関連した回路を実行することによって、瞬間大電流（transient large current）を提供して、測定されるべきであるバッテリーの二端の間での参考電圧
VrL１（図7で示すように）は、K２時間（K２≧1）でサンプリングされて、外部負荷（external load）の二端の間での負荷電圧VL２は、L２時間（L２≧1）でサンプリングされて、そして電圧VL1及びVL 
２の平均値は、計算されて、保存されます。瞬間サンプリングタイム（transient sampling time）は、望ましくは１Ａから５００Ａまでの範囲にあります。
更に具体的に言って、瞬間大電流（transient large current）は、一般的に１Cから５Cまでの電流と同等になって、そこで、前記のCは、よく工業上に使用されて、
２０時間でバッテリーに提供されるアンペア-時間（A-ｈ）の数量となって、例えば、バッテリーは２０時間の放電期間にその放電比率が３４アンペア-時間（A-ｈ）となって、即ち、バッテリーによる１Cは、３４アンペア（Ａ）となることである。
ステップ１５ｃ：第二負荷抵抗（例えば、第二パワー・トランジスタＱ２またはその関連した回路）を有する第二外部負荷（external load）が閉められた。瞬間大電流（transient large current）の提供を止めるために、第二パワー・トランジスタＱ２またはその関連した回路が切断された。
ステップ１５ｄ：第一負荷抵抗（例えば、第一パワー・トランジスタＱ１またはその関連した回路）を有する第一外部負荷（external load）が閉められた。瞬間大電流（transient large current）の提供を止めるために、第一パワー・トランジスタＱ１またはその関連した回路が切断された。
ステップ１５e：多数のサンプリングがＮ（Ｎ≧1）より等しいかどうかのことを判断して、もし判断した結果がＮ＝1となったらステップ１６に繰り返して、ループバックされて、さもなければステップ１５にループバックされます。
ステップ１６：図９に示されるように測定されるべきであるバッテリーの内部抵抗（internal resistance）ｒの平均値は、計算された。測定されるべきであるバッテリーの電流Ｉは下記の方程式で取得される。更に
2007218917.tif 000003
更に、測定されるべきであるバッテリーの内部抵抗（internal resistance）ｒは下記の方程式で取得される。
2007218917.tif 000004
更に具体的に言って、完全に上記の方程式を理解させるために、上記の外部負荷（external load）Ｒ＝１mΩとなることを仮定して、曲線VBは、外部負荷（external load）Ｒの二端を通した当該電圧を示す。図７に示されるように、
V０=12.70 volt, Vr１=12.30 volt, VL１=11.55 volt, Vg=0 volt, Vr２=0.25 volt, VL２=0.4 volt. 従って、EQ１から、瞬間大電流（transient large current） 
I =△VL / Rを取得した。
I = (0.4-0.25)/1x0.001=0.15/0.001=150 (アンペア); 及び
EQ ２から、バッテリーの内部抵抗（ｒ）の値は、下記の方程式で取得された。 
r =△Vr/ I = (12.30-11.55)/ 150=0.005 (Ω) =５(mΩ).
ステップ１７：ステップ１６に取得されたバッテリーの内部抵抗（internal resistance）ｒは、ステップ１４に選ばれたバッテリーの内部抵抗（internal resistance）の予め定められた警告値と比較して、そして前者が警告範囲にあるかどうか判断する。
ステップ１８：ステップ１７に対して、I/Oは、例えばディスプレー、キーボード入力、無線操作、ＵＳＢ（ユニバーサルシリアルバス）コネクタ、データバス（databus）、CAN（コントローラー・エリア・ネットワーク）バス、GPS（全地球位置測定システム）、SMS（ショートメッセージサービス）、MMS（マルチメディアメッセージングサービス）、ＷＡＰ（ワイヤレス アプリケーション プロトコル）、インターネットへをアクセスするのうちの1つである。
ステップ１８a：次のサンプリングサイクルのために、I/Oを通した内部抵抗（internal resistance）rnewは、設定される。イエスなら、プロセスはステップ
１４ａにループバックされる。さもなければ、プロセスはステップ１９へ行きます。
ステップ１９：タイマーは、時間を数え始めます。
ステップ２０：時間が次のサンプリングの時間Ｔ２と等しいかどうかを判断します。イエスなら、プロセスは次のサンプリングのためにステップ１４ａへループバックします。さもなければ、プロセスはステップ１９へループバックします。つまり、バッテリーの状態は、時々評価されて、そして電流の計算を減らすことができます。
【００２７】
電圧サンプリングプロセスは、ステップ１５からステップ１５ｅまで１つの期間がかかります。図７に示されるように、これはサンプリングされた電圧と本発明による電圧カーブのためのサンプリング時間である。瞬間大電流（transient large current）は、電圧変化が負荷がない状況から第一外部負荷（external load）の状況になるために第一パワー・トランジスタ（power transistor）Ｑ１を処理することで測定される時、電圧カーブVr１は測定されるべきであるバッテリー７の二端にある参考電圧を示して、電圧カーブVr２は第一外部負荷（external load）の二端にある参考電圧を示す（図３、４を参照して）。瞬間大電流（transient large current）は、電圧変化が第一外部負荷（external load）の状況から第二外部負荷（external load）の状況になるために第二パワー・トランジスタ（power transistor）Ｑ２を処理することで測定される時、電圧カーブVL１は測定されるべきであるバッテリー７の二端にある負荷電圧を示して、電圧カーブVL２は第二外部負荷（external load）の二端にある第一負荷電圧を示す（図３、４を参照して）。図７に示すように、参考電圧Vr１とVr２は、ステップ１５に取得されて、負荷電圧VL１とVL２はステップ１５aに取得された。
図７に示すの電圧カーブを参照して、それぞれの電圧カーブに関するサンプリングは、最も理解されることができます。カーブVr１とVr２は、第一パワー・トランジスタ（power transistor）Q１を実行することによる参考電圧カーブであって、カーブVL1とVL2は第二外部負荷（external load）の負荷電圧カーブ（例えば、第二パワー・トランジスタQ２であって）である。詳細に、電圧カーブVr１は、、K１時間でサンプリングされた第一パワー・トランジスタ（power transistor）Ｑ１の参考電圧を示します。電圧カーブVL１は、K２時間で実行された第二パワー・トランジスタ（power transistor）Q２の負荷電圧を示します。同様に、電圧カーブVr２は、L１時間で実行された第一パワー・トランジスタ（power transistor）Q１の参考電圧を示します。電圧カーブVL２は、L２時間で実行された第二パワー・トランジスタ（power transistor）Ｑ２の負荷電圧を示します。ΔVrは、Vr１とVL１の違いです。ΔVLは、VL２とVr２の違いです。
【００２８】
図３に示すように、本発明によるバッテリーの電力をモニターする装置６０の第一の好ましい実施形態の電気ブロック図が示されます。６４Ａ、６４Ｂ、６５Ａと
６５Ｂを接続することで形成されたケルヴィン接続を例示します。そのようなケルヴィン接続で、２つの結合は、バッテリー7の正と負の端子に提供されます。他のペアの電気接続６４Ａと６４Ｂが使われて正確な電圧値をサンプリングする場合、バッテリーの二端である一つのペア電気接続６５Ａと６５Ｂが瞬間大電流（transient large current）を測定することができる。接続A/Dと６５Ａ、６５Ｂの間の抵抗値は非常に少なくなってしかも接続A/Dと６５Ａ、６５Ｂの間を流れている電流がない時、電気接続A/Dと６５Ａ、６５Ｂの間で電圧が低下して、それによって、より正確な電圧測定を提供することができます。
【００２９】
装置６０は、マイクロプロセッサ制御装置（ＭＣＵ）６２、電圧安定回路（voltage-stabilizing circuit）６１ (任意に、実際の応用に従い提供されます)、外部負荷（external load）６３と６６、電圧サンプリング回路（voltage sampling circuit）６４、瞬間電流制御回路（transient current control circuit）６５、及び入力/出力（I/O）６６を含む。各々の構成要素は、下記で仔細に記述されます。
【００３０】
マイクロプロセッサ制御装置（ＭＣＵ）６２は、装置６０を制御してそして所定の期間に電圧をサンプリングするためにバッテリー7に信号を送って、バッテリー7の内部抵抗（internal resistance）rを計算して、必要に応じて警告のために内部抵抗（internal resistance）rの警告値をその予め定められた値と比較する。電圧安定回路（voltage-stabilizing circuit）６１は、操作の期間に任意に使われて安定した電圧を装置６０に提供させて、つまり、装置６０は安定したDCセールまたはバッテリーを使うならば、電圧安定回路（voltage-stabilizing circuit）６１は、省略されることができます。外部負荷（external load）６３と６６は、予め定められた抵抗を有する。本発明による第一の好ましい実施形態に外部負荷（external load）６３と６６は、平行したレジスターＲ１とＲ２（または彼らの関連した回路）の組合せです。第一外部負荷（external load）６３（例えば、第一パワー・トランジスタＱ１またはその関連した回路）の抵抗（resistance）Ｒ１は、２５uΩから５０００mΩまでの範囲でセットされて、しかもバッテリーと並列的で直接に提供されて、第二外部負荷（external load）６６（例えば、第二パワー・トランジスタＱ２またはその関連した回路）の抵抗（resistance）Ｒ２は、２５uΩから５０００mΩまでの範囲でセットされて、しかもバッテリーと並列的で直接に提供されて、そしてバッテリーの内部抵抗（internal resistance）ｒを計算することができる。外部負荷（external load）６３と６６は、かなり非常に低い抵抗があって、そして瞬間大電流（transient large current）で瞬間サンプリングタイム（transient sampling time）にバッテリー7の電圧をサンプリングすることができる。例えば、０．０１秒以内に任意に大量の瞬間大電流（transient large current）１Ａ〜５００Ａに使用することによって、電圧をサンプリング（すなわち、サンプルリング電圧に）する必要がある。外部負荷（external load）６３と
６６は、レジスターとして実行されて、例えば、マンガニン（Manganin）のようにまたは先行技術に開示された任意の他の合金のどれでもの形成である。あるいは、外部負荷（external load）６３と６６は、抵抗があっているスイッチング構成としてインプリメントされることができて、例えば、第一と第二パワー・トランジスタ（power transistor）Ｑ１、Ｑ２の内部抵抗（internal resistance）である。瞬間電流制御回路（transient current control circuit）にある第一と第二パワー・トランジスタ（power transistor）Ｑ１、Ｑ２の内部抵抗（internal resistance）は、外部負荷（external load）として使われて、そして本実施形態にある外部負荷（external load）６３と
６６（すなわちレジスターＲ１とＲ２）は、図３に示される回路６５Ａ-６５Ｂから省略されることができる。さらにまた、外部負荷（external load）６３と６６は、バッテリーの二端で広げられる一部のコンダクターでインプリメントされて、例えば、二端６３Ｅと６３Ｆ（Ｒ１なしで）間の一部のコンダクター、二端６６Eと６６F（Ｒ２なしで）またはA/Dの間でのコンダクター、例えば、ターミナル６３Ａ-６３Ｅ、
６３Ｃ-６３Ｆ、６６Ａ-６６Ｅ、６６Ｃ-６６Ｆである。本発明による一つの好ましい実施形態の電圧サンプリング回路（voltage sampling circuit）６４は、ターミナル６４A、６４Bを通して、電圧をサンプリングするためのものである。図３に示されるように、ターミナル６４Ａは、マイクロプロセッサ制御装置（ＭＣＵ）６２のA/Dピンの陽極端子に電気的に相互接続して、バッテリー7の陽極端子に電気的に相互接続して、他のターミナル６４Ｂは、マイクロプロセッサ制御装置（ＭＣＵ）６２のA/Dピンの陰極端子に電気的に相互接続して、バッテリー7の陰極端子に電気的に相互接続します。最後に、正しい電圧は、サンプリングされることができます。つまり、ターミナル６４Ａ、６４Ｂに接続された信号コンダクターは、別に負荷Ｒを通す電圧からバッテリーを通して電圧の測定をさせる。瞬間電流制御回路（transient current control circuit）６５は、マイクロプロセッサ制御装置（ＭＣＵ）６２で制御される。本発明による一つの好ましい実施形態に、瞬間電流制御回路（transient current control circuit）６５は、バッテリーと並列接続する第一パワー・トランジスタ（power transistor）Ｑ１と第二パワー・トランジスタ（power transistor）Ｑ２として実行される。瞬間電流制御回路（transient current control circuit）６５は、装置のスイッチとして用いられて、大量の負荷の瞬間大電流（transient large current）を制御する。つまり、規則な瞬間大電流（transient large current）は、電圧のサンプリング期間に、電圧をサンプリングするため、バッテリー7から得られます。入出力（I/O）６６は、下記のように、例えばディスプレー、キーボード入力、無線操作、ＵＳＢ（ユニバーサルシリアルバス）コネクタ、データバス（databus）、ＣＡＮ（コントローラー・エリア・ネットワーク）バス、ＧＰＳ（全地球位置測定システム）、ＳＭＳ（ショートメッセージサービス）、ＭＭＳ（マルチメディアメッセージングサービス）、ＷＡＰ（ワイヤレス アプリケーション プロトコル）、インターネットへをアクセスするのうちの１つであって、マイクロプロセッサ制御装置（ＭＣＵ）６２でバッテリーの内部抵抗（internal resistance）とバッテリーの内部抵抗（internal resistance）の警告値の比較結果は、警告値に達しましたことを示す。
【００３１】
簡単に言えば、本発明によるバッテリーの電力をモニターする装置６０に接続した後、任意に、電圧安定回路（voltage-stabilizing circuit）６１は、操作の期間に、マイクロプロセッサ制御装置（ＭＣＵ）６２を含む装置に必要な電圧を提供します。マイクロプロセッサ制御装置（ＭＣＵ）６２は、バッテリーの内部抵抗（internal resistance）を外部負荷（external load）の内部抵抗（internal resistance）と比較することによって電力をモニターする方法に基づき上記の操作を実行する。最初に、外部負荷（external load）が一時的に取り出されるとき、電圧サンプリング回路（voltage sampling circuit）６４がバッテリー７の電圧をサンプリングする。第一外部負荷（external load）６３（すなわちパワー・トランジスタＱ１）を当該装置に加えた後に、瞬間電流制御回路（transient current control circuit）のトランジスタQ1（transistor）は、瞬間大電流（transient large current）を提供するために制御される。次に、電圧サンプリング回路（voltage sampling circuit）６４は、それぞれバッテリー７の二端を通して、参考電圧Vr１をサンプリングして、外部負荷（external load）６３の二端を通して、参考電圧Vr２をサンプリングする。さらに、第二外部負荷（external load）６６（すなわちパワー・トランジスタQ２）を当該装置に加えた後に、瞬間電流制御回路（transient current control circuit）のトランジスタＱ２（transistor）は、瞬間大電流（transient large current）を提供するために制御される。次に、電圧サンプリング回路（voltage sampling circuit）６４は、それぞれバッテリー７の二端を通して、参考電圧VL１をサンプリングして、外部負荷（external load）６６の二端を通して、参考電圧VL２をサンプリングする。所定の期間のN時間に参照電圧と負荷電圧をサンプリングした後、マイクロプロセッサ制御装置（ＭＣＵ）６２は、第二負荷Ｑ２をそれから第一負荷Ｑ１を中止する。マイクロプロセッサ制御装置（ＭＣＵ）６２は、また、図２に示されるステップ１６に記載された二つの方程式及びサンプリングされた参照電圧と負荷電圧の方法で、バッテリー７の内部抵抗（internal resistance）を計算する。さらにまた、得られたバッテリー7の内部抵抗（internal resistance）rは、バッテリーの内部抵抗（internal resistance）予め定められた値と比較されます。最後に警告は必要に応じてI/O  ６６を通して発されます。
【００３２】
図４を参照して、それは本発明第二の実施形態によるバッテリーの電力をモニターする装置６０を示す電子ブロック図である。当該第二の実施形態は、上記記載された第一の実施形態の構成と同様である。第二の実施形態の特徴は下記の如く詳細に説明されます。当該装置６０の瞬間電流制御回路（transient current control circuit）は、二つの平行したトランジスタＱ１とＱ２としてインプリメントされます。トランジスタＱ１とＱ２は、二つターミナルの最も低い電圧値を得るために、順番に実行されます。
【００３３】
図５を参照して、それは本発明第三の実施形態によるバッテリーの電力をモニターする装置６０を示すブロック図である。当該第三の実施形態は、上記記載された第二の実施形態の構成と同様である。第三の実施形態の特徴は下記の如く詳細に説明されます。外部負荷（external load）６３は、非常に低い抵抗を有します。増幅器（アンプ）６７は、任意に外部負荷（external load）６３とマイクロプロセッサ制御装置（ＭＣＵ）６２を相互接続しました。好ましくは、外部負荷（external load）６３は、
５０００のuΩより低い抵抗があります。
【００３４】
図６を参照して、それは本発明第四の実施形態によるバッテリーの電力をモニターする装置６０を示すブロック図である。当該第四の実施形態は、上記記載された第二の実施形態の構成と同様である。第四の実施形態の特徴は下記の如く詳細に説明されます。外部負荷（external load）６３は、ジャント装置（Shunt unit）Ｓとしてインプリメントされてそして６３Ｓとされます。好ましい実施形態に、単一の測定されるべきであるバッテリーのジャント負荷は、上記実施形態にある任意の同様な影響を得るためにジャント回路としてインプリメントされます。
【００３５】
ここに掲載された本発明は特定の実施形態によって説明されて、請求項に記載された本発明の範囲と精神を離れないように、頻繁な修正と変化を作ることができる。
【図面の簡単な説明】
【００３６】
【図１】本発明バッテリーの状態による電力をモニターするプロセスを示すフローチャートである。
【図２】図１のプロセスを示す詳細なフローチャートである。
【図３】本発明第一の実施形態によるバッテリーの電力をモニターする装置を示すブロック図である。
【図４】本発明第二の実施形態によるバッテリーの電力をモニターする装置を示すブロック図である。
【図５】本発明第三の実施形態によるバッテリーの電力をモニターする装置を示すブロック図である。
【図６】本発明第四の実施形態によるバッテリーの電力をモニターする装置を示すブロック図である。
【図７】本発明による電圧カープサンプリングされた電圧ｖｓサンプリングした時間を示すグラフである。
【図８】本発明によるバッテリーの内部抵抗（internal resistance）ｖｓ放電パーセントを示すグラフである。
【図９】本発明によるバッテリーの同等の回路及び並列の外部負荷（external load）を示す図である。
【符号の説明】
【００３７】
７  バッテリー
ｒ  内部抵抗（internal resistance）
Ｓ  ジャント装置（Shunt unit）
Ｑ１  第一パワー・トランジスタ（power transistor）
Ｑ２  第二パワー・トランジスタ（power transistor）
Ｒ１  抵抗（resistance）
Ｒ２  抵抗（resistance）
１０  入力/出力ユニート（input/output unit）でアラームをディスプレイに示す
６１  電圧安定回路（voltage-stabilizing circuit）
６２  マイクロプロセッサ制御装置（ＭＣＵ）
６３  外部負荷（external load）
６４  電圧サンプリング回路（voltage sampling circuit）
６５  瞬間電流制御回路（transient current control circuit）
６６  外部負荷（external load）
６６  入力/出力（I/O）
６７  増幅器（アンプ）
【図１】
2007218917.tif 000005
【図２】
2007218917.tif 000006
【図３】
2007218917.tif 000007
【図４】
2007218917.tif 000008
【図５】
2007218917.tif 000009
【図６】
2007218917.tif 000010
【図７】
2007218917.tif 000011
【図８】
2007218917.tif 000012
【図９】
2007218917.tif 000013